(57)【要約】【課題】見栄えがよいデスク装置を提供すること。【解決手段】デスク装置本体と、デスク装置本体の背面または側面に昇降可能に設けられた仕切パネル２とを備えたデスク装置において、仕切パネル２が取り付けられたブラケット３３を昇降可能に支持するとともに、ブラケット３３に引出側端部３４３ａが取り付けられ、仕切パネル２の重量に釣り合う力が作用する定荷重ばね３４を内部に収容した左右一対の昇降ユニット３を備えたので、仕切パネル２に定荷重ばね３４を収容する突部を出っ張らせる必要がなく、デスク装置の見栄えがよくなる。【選択図】図５
2011019630.tif 000002
【特許請求の範囲】
【請求項１】
デスク装置本体と、デスク装置本体の背面または側面に昇降可能に設けられた仕切パネルとを備えたデスク装置において、
前記仕切パネルが取り付けられたブラケットを昇降可能に支持するとともに、前記ブラケットに引出側端部が取り付けられ、前記仕切パネルの重量に釣り合う力が作用する定荷重ばねを内部に収容した左右一対の昇降ユニットを備えたことを特徴とするデスク装置。
【請求項２】
前記昇降ユニットは、デスク装置本体に取り付けられる支柱と、支柱とともに取り付けられ、ブラケットを昇降可能に支持する支持機構と前記定荷重ばねとが収容される収容空間を支柱との間に画成する支柱カバーとを備えたことを特徴とする請求項１に記載のデスク装置。
【請求項３】
前記昇降ユニットは、前記デスク装置本体を構成する左右一対の支持体の内側後縁に沿って取り付けられたことを特徴とする請求項１または２に記載のデスク装置。
【請求項４】
前記支持機構は、上下方向に延び、前記ブラケットを昇降可能に支持するガイドシャフトを備えたことを特徴とする請求項２または３に記載のデスク装置。
【請求項５】
前記支柱カバーに設けられた位置決め孔を挿通し、前記ブラケットを固定する仕切パネル固定手段を備えたことを特徴とする請求項２〜４のいずれか一つに記載のデスク装置。
【請求項６】
前記仕切パネルが最も上昇した場合に前記支持体の相互間に生じる隙間を塞ぐ幕板を一方の昇降ユニットと他方の昇降ユニットとの間に架設したことを特徴とする請求項３に記載のデスク装置。
【発明の詳細な説明】
【技術分野】
【０００１】
本発明は、仕切パネルを備えたデスク装置に関する。
【背景技術】
【０００２】
デスク装置本体の側部または後部に昇降可能に設けられ、必要な場合に上方に引き出され、不要な場合に下方に降ろされる仕切パネルを備えたデスク装置が広く知られるようになっている。仕切パネルを備えたデスク装置は、天板の下面に取り付けられて外方に突出する左右一対のパネル取付け金具と、パネル取付け金具のそれぞれにねじ止めされたブラケットと、ブラケットにそれぞれ固定された案内体と、左右方向に水平に配設され、案内体を互いに連結する連結フレームとを備えている。仕切パネルは、案内体上をスライドするパネルレールを備え、パネルレールが案内体上をスライドすることにより、仕切パネルが上下動するようになっている。
【０００３】
また、仕切パネルの下縁には定荷重ばねが収容された突部が設けてある。定荷重ばねは、仕切パネルの重量と釣り合う力が作用するようになっている。定荷重ばねは、弾性体鋼板がドラムに巻き付くようになっており、引出側端部が連結フレームに取り付けてある。定荷重ばねは、弾性体鋼板を引き出すと、それに抗する力が生じる。この力は、弾性体鋼板の引き出し長さに関係なく、ほぼ一定である。
【０００４】
上述した仕切パネルを備えたデスク装置において、仕切パネルを昇降させると、定荷重ばね（ドラム）も昇降することになる。定荷重ばねには、仕切パネルの重量と釣り合う力が作用するため、仕切パネルの重量を意識することなく、仕切パネルを昇降させることができる。すなわち、仕切パネルを下降させるときには、定荷重ばねにおいて、弾性体鋼板がドラムから引き出され、仕切パネルを引き上げる力となってパネルを支え、仕切パネルを上昇させるときには、弾性体鋼板がドラムに巻き付けられ、仕切パネルの上昇に要する力の一部を受け持つことになる。
【先行技術文献】
【特許文献】
【０００５】
【特許文献１】特開２０００−４９５０号公報
【発明の概要】
【発明が解決しようとする課題】
【０００６】
しかしながら、上述した定荷重ばねは、仕切パネルの下縁に設けた突部に収容するために仕切パネルから突部を出っ張らせる必要があり、デスク装置の見栄えを損なう一因になっていた。
【０００７】
本発明は、上記に鑑みてなされたものであって、見栄えがよいデスク装置を提供することを目的とする。
【課題を解決するための手段】
【０００８】
上述した課題を解決し、目的を達成するために、本発明は、デスク装置本体と、デスク装置本体の背面または側面に昇降可能に設けられた仕切パネルとを備えたデスク装置において、前記仕切パネルが取り付けられたブラケットを昇降可能に支持するとともに、前記ブラケットに引出側端部が取り付けられ、前記仕切パネルの重量に釣り合う力が作用する定荷重ばねを内部に収容した左右一対の昇降ユニットを備えたことを特徴とする。
【０００９】
また、本発明は、上記デスク装置において、前記昇降ユニットは、デスク装置本体に取り付けられる支柱と、支柱とともに取り付けられ、ブラケットを昇降可能に支持する支持機構と前記定荷重ばねとが収容される収容空間を支柱との間に画成する支柱カバーとを備えたことを特徴とする。
【００１０】
また、本発明は、上記デスク装置において、前記昇降ユニットは、前記デスク装置本体を構成する左右一対の支持体の内側後縁に沿って取り付けられたことを特徴とする。
【００１１】
また、本発明は、上記デスク装置において、前記支持機構は、上下方向に延び、前記ブラケットを昇降可能に支持するガイドシャフトを備えたことを特徴とする。
【００１２】
また、本発明は、上記デスク装置において、前記支柱カバーに設けられた位置決め孔を挿通し、前記ブラケットを固定する仕切パネル固定手段を備えたことを特徴とする。
【００１３】
また、本発明は、上記デスク装置において、前記仕切パネルが最も上昇した場合に前記支持体の相互間に生じる隙間を塞ぐ幕板を一方の昇降ユニットと他方の昇降ユニットとの間に架設したことを特徴とする。
【発明の効果】
【００１４】
本発明にかかるデスク装置は、一対の昇降ユニットがブラケットを昇降可能に支持するとともに、ブラケットに引出側端部が取り付けられ、仕切パネルの重量に釣り合う力が作用する定荷重ばねを昇降ユニットの内部に収容したので、仕切パネルに定荷重ばねを収容する突部を出っ張らせる必要がなく、デスク装置の見栄えがよくなる。
【図面の簡単な説明】
【００１５】
【図１】図１は、本発明の実施の形態であるデスク装置を示す正面図であって、パネルを引き出した状態を示す図である。
【図２】図２は、図１に示したデスク装置の平面図である。
【図３−１】図３−１は、図１に示したデスク装置の側面図であって、パネルを引き出した状態を示す図である。
【図３−２】図３−２は、図１に示したデスク装置の側面図であって、パネルを降ろした状態を示す図である。
【図４】図４は、図１に示したデスク装置の背面図であって、パネルを引き出した状態を示す図である。
【図５】図５は、図１に示したパネル昇降ユニットを示す正面図である。
【図６】図６は、図５に示したパネル昇降ユニットを示す概念斜視図である。
【図７】図７は、図５に示したパネル昇降ユニットのVII−VII矢視図である。
【図８】図８は、図５に示したパネル昇降ユニットのVIII−VIII断面図である。
【発明を実施するための形態】
【００１６】
以下に、本発明にかかるデスク装置の実施の形態を図面に基づいて詳細に説明する。なお、この実施の形態によりこの発明が限定されるものではない。
【００１７】
図１および図２に示すように、本発明の実施の形態であるデスク装置は、デスク装置本体１と、デスク装置本体１の背面に昇降可能に設けられた仕切パネル２と、デスク装置本体１に取り付けられ、仕切パネル２を昇降可能に支持する昇降ユニット３とを備えている。
【００１８】
図１および図２に示すように、デスク装置本体１は、左右一対となるパネル脚（支持体）１１と、パネル脚１１に架設された天板１２とを備えている。
【００１９】
図１および図２に示すように、仕切パネル２は、天板１２の幅とほぼ同一の幅を有した板状体であって、図３−１に示すように、必要な場合に上方に引き出され、図３−２に示すように、不要な場合に下方に降ろされるようになっている。
【００２０】
図１および図２に示すように、昇降ユニット３は、パネル脚１１と同様に、左右一対で構成され、図２に示すように、左側となる昇降ユニット３は、左側のパネル脚１１の内側後縁からわずかにはみ出すように、左側のパネル脚１１に取り付けられ、右側となる昇降ユニット３は、右側のパネル脚１１の内側後縁からわずかにはみ出すように、右側のパネル脚１１に取り付けられている。左側のパネル脚１１に取り付けられる昇降ユニット３と右側のパネル脚１１に取り付けられる昇降ユニット３とは左右対称であり、ここでは、左側のパネル脚１１に取り付けられる昇降ユニット３を例に説明し、右側のパネル脚１１に取り付けられる昇降ユニット３については説明を省略することとする。
【００２１】
図５〜図８に示すように、昇降ユニット３は、支柱３１と、支柱３１とともにパネル脚１１に取り付けられる支柱カバー３２とを備えている。図７および図８に示すように、支柱３１は、平面視Ｌ字状となるように鋼板を折り曲げたもので、パネル脚１１の内側後縁からわずかにはみ出すように、パネル脚１１に取り付けられるようになっている。パネル脚１１に取り付けられた支柱３１は、一辺がパネル脚１１に沿い、他辺が内側に向かうことになる。支柱カバー３２は、平面視階段状となるように鋼板を折り曲げたもので、支柱３１の一部に重なるように組み合わせた場合に、支柱３１との間に平面視矩形の収容空間を画成するとともに、支柱３１との間に上下方向に延びる隙間を有するようになっている。収容空間には、後述するブラケット３３（取付板３３２）を昇降可能に支持する支持機構（ガイドシャフト３８、可動部３３１）と定荷重ばね３４とが収容されるようになっており、隙間からはブラケット３３の一部が突出するようになっている。また、支柱カバー３２の内側となる側面には、上下方向に所定の間隔（たとえば、５０ミリ）で水平方向に延びる長孔（位置決め孔）（図示せず）が設けてある。長孔の側方には、長孔と対応する目盛を付したシール（図示せず）が貼付してある。
【００２２】
図５および図６に示すように、支柱カバー３２の上部内側には上部ブラケット３６が取り付けてあり、下部内側には下部ブラケット３７が取り付けてある。上部ブラケット３６と下部ブラケット３７とは、上面と一側面（内側面）とが開口した箱状を呈しており、少なくとも上部ブラケット３６と支柱カバー３２との間には矩形の隙間が形成されるようになっている。また、上部ブラケット３６と下部ブラケット３７との間には、上下方向に延びるガイドシャフト３８が架設してある。ガイドシャフト３８は、円柱であって、その表面には焼き入れ加工が施してある。ガイドシャフト３８には、ブラケット３３が昇降可能に支持されている。ブラケット３３は、上述した仕切パネル２を昇降可能に支持するためのもので、可動部３３１と取付板３３２とを有している。可動部３３１は、ガイドシャフト３８に案内され昇降する部分であって、ガイドシャフト３８が挿通するリニアブッシュ３３３が上下に離隔して取り付けられている。また、図５に示すように、可動部３３１の上下方向中程には、メネジ３３１ａが形成してあり、ツマミ３９（仕切パネル固定手段）の脚部に形成されたオネジ３９ａが螺合するようになっている。したがって、支柱カバー３２に形成された長孔を挿通したツマミ３９のオネジ３９ａを可動部３３１のメネジ３３１ａに螺合させれば、ブラケット３３（仕切パネル２）を任意の位置で固定することができるようになっている。取付板３３２は、可動部３３１と上述した仕切パネル２とを接続するためのもので、平面視Ｌ字状となるように折り曲げた鋼板で構成されている。可動部３３１に取り付けられた取付板３３２は、可動部３３１に沿った一辺の一部が上述した隙間から突出し、他辺が内側に向かうことになる。
【００２３】
図５〜図７に示すように、上部ブラケット３６には、定荷重ばね３４が収容され、取り付けられている。定荷重ばね３４は、バネブラケット３４１、ドラム３４２、弾性体鋼板３４３で構成されている。バネブラケット３４１は、鋼板をコの字状に折り曲げたもので、ドラム３４２の回転軸の一端と他端とを支承している。弾性体鋼板３４３は、ドラム３４２に巻き付けられており、その引出側端部が可動部３３１（ブラケット３３）に取り付けてある。定荷重ばね３４は、弾性体鋼板３４３を引き出すと、それに抗する力が生じるようになっており、この力は、弾性体鋼板３４３の引き出し長さに関係なく、ほぼ一定である。定荷重ばね３４は、仕切パネル２の重量と釣り合うものが選択されており、仕切パネル２を移動させた場合にその位置で釣り合い、仕切パネル２が勝手に上昇したり、下降したりすることがないようになっている。
【００２４】
左側のパネル脚１１に取り付けられる昇降ユニット３と右側のパネル脚１１に取り付けられる昇降ユニット３との間には、幕板４が架設してある。幕板４は、図４に示すように、仕切パネル２を最も上昇させた場合にパネル脚１１とパネル脚１１との間に生じる隙間を塞ぐためのもので、仕切パネル２を最も下降させた場合に仕切パネル２によって隠れるようになっている。
【００２５】
上述した本発明の実施の形態であるデスク装置は、必要な場合に仕切パネル２が上方に引き出され、不要な場合に仕切パネル２が下方に降ろされる。仕切パネル２の重量と釣り合う力が作用する定荷重ばね３４のドラム３４２が昇降ユニット３に画成された収容空間に収容してあり、引出側端部３４３ａが仕切パネル２を昇降可能に支持するブラケット３３に取り付けてあるので、仕切パネル２を引き出したり、降ろしたり時に仕切パネル２に加える力はわずかな力で済む。
【００２６】
また、仕切パネル２を頻繁に引き出したり、降ろしたりする必要がない場合には、支柱カバー３２に設けた長孔を挿通させたツマミ３９のオネジ３９ａを可動部３３１に設けたメネジ３３１ａに螺合させれば、仕切パネル２が固定され、意図しない力が作用しても仕切パネル２が上がったり下がったりしなくなる。
【００２７】
上述した本発明の実施の形態であるデスク装置は、一対の昇降ユニット３がブラケット３３を昇降可能に支持するとともに、ブラケット３３に引出側端部３４３ａが取り付けられ、仕切パネル２の重量に釣り合う力が作用する定荷重ばね３４を収容したので、仕切パネル２に定荷重ばね３４を収容する突部を出っ張らせる必要がなく、デスク装置の見栄えがよくなる。
【００２８】
また、支柱３１と、支柱３１とともに取り付けられる支柱カバー３２とがブラケット３３（取付板３３２）を昇降可能に支持する支持機構（ガイドシャフト３８、可動部３３１、リニアブッシュ３３３）と定荷重ばね３４とが収容される収容空間を画成するので、支持機構と定荷重ばね３４とが露出することがない。
【００２９】
また、ブラケット３３が可動部３３１に取り付けられたリニアブッシュ３３３を介してガイドシャフト３８に昇降可能に支持されているので、ブラケット３３の昇降が円滑に行われる。
【００３０】
また、仕切パネル２を任意の位置に引き出し、ツマミ３９のオネジ３９ａを可動部３３１に設けたメネジ３３１ａが臨む長孔に挿通させ、メネジ３３１ａに螺合させれば、仕切パネル２は任意の位置で固定され、意図しない力が作用しても仕切パネル２が上がったり下がったりしなくなる。
【００３１】
また、左側のパネル脚１１に取り付けられる昇降ユニット３と右側のパネル脚１１に取り付けられる昇降ユニット３との間には、幕板４が架設してある。この幕板４は、仕切パネル２を最も上昇させた場合にパネル脚１１とパネル脚１１との間に生じる隙間を塞ぐので、仕切パネル２を上昇させた場合でも見栄えを損なうことがない。
【符号の説明】
【００３２】
１    デスク装置本体
１１    パネル脚（支持体）
１２    天板
２    仕切パネル
３    昇降ユニット
３１    支柱
３２    支柱カバー
３３    ブラケット
３３１    可動部
３３１ａ    メネジ
３３２    取付板
３３３    リニアブッシュ
３４    定荷重ばね
３４１    バネブラケット
３４２    ドラム
３４３    弾性体鋼板
３４３ａ    引出側端部
３６    上部ブラケット
３７    下部ブラケット
３８    ガイドシャフト
３９    ツマミ
３９ａ    オネジ
４    幕板
【図１】
2011019630.tif 000003
【図２】
2011019630.tif 000004
【図３−１】
2011019630.tif 000005
【図３−２】
2011019630.tif 000006
【図４】
2011019630.tif 000007
【図５】
2011019630.tif 000008
【図６】
2011019630.tif 000009
【図７】
2011019630.tif 000010
【図８】
2011019630.tif 000011